(57)【要約】【課題】第１に、メンテナンスコストに優れ、第２に、イニシャルコストにも優れ、第３に、もってビルイン施設としての目的が、容易に実現可能となる、植物栽培方式を提案する。【解決手段】この植物栽培方式は、ビル１等の同一建物内に位置する人的集合スペース８と植物栽培施設１１を、有してなる。人的集合スペース８は、人の集合により二酸化炭素Ｂ濃度が高くなると共に、空調機７により温度制御可能である。植物栽培施設１１は、栽培棚１２と人工照明３とを備えており、植物Ａを生育し、付設された空調機１０により温度制御可能であると共に、二酸化炭素Ｂのタンクやボンベ５から二酸化炭素Ｂが供給可能である。そして人的集合スペース８から、高濃度の二酸化炭素Ｂを含有すると共に温度制御されたエアーＣが、植物栽培施設１１に、ダクト１３により供給可能である。【選択図】図１
2020065483.tif 000002
【特許請求の範囲】
【請求項１】
人的集合スペースと植物栽培施設とを、有しており、
該人的集合スペースは、人の集合により二酸化炭素濃度が高くなると共に、付設された空調機により温度制御可能であり、
該植物栽培施設は、栽培棚と人工照明とを備えており、植物を生育し、付設された空調機により温度制御可能であると共に、二酸化炭素のタンクやボンベから二酸化炭素が供給可能であり、
該人的集合スペースから、高濃度の二酸化炭素を含有すると共に温度制御されたエアーが、該植物栽培施設に供給可能となっていること、を特徴とする植物栽培方式。
【請求項２】
請求項１において、該人的集合スペースは、オフィススペース，教育スペース，商業スペース，宿泊スペース，飲食スペース，劇場スペース中から選択され、
該植物栽培施設は植物栽培室よりなり、該人的集合スペースと植物栽培室とは、ビル等の同一建物内に位置すると共に、該エアーの供給用ダクトで接続されていること、を特徴とする植物栽培方式。
【請求項３】
請求項２において、該人的集合スペースには、二酸化炭素の濃度センサが設けられ、該ダクトの該人的集合スペース側には、送風手段が設けられ、該植物栽培室には、温度センサと二酸化炭素の濃度センサとが設けられていること、を特徴とする植物栽培方式。
【請求項４】
請求項３において、該人的集合スペースの濃度センサで検出された二酸化炭素濃度が、外設された濃度センサで検出された大気中の二酸化炭素濃度より高い場合、該ダクトの送風手段が駆動されること、を特徴とする植物栽培方式。
【請求項５】
請求項３において、該ダクトの送風手段が駆動された場合、これに対応し、
該植物栽培室では、その該濃度センサで検出される二酸化炭素濃度が、植物生育に適切な環境濃度を維持するように、二酸化炭素の該タンクやボンベのバルブ開度が大小制御されると共に、
該植物栽培室では、その該温度センサで検出される温度が、植物生育に適切な環境温度を維持するように、該空調機の駆動量が制御されること、を特徴とする植物栽培方式。
【請求項６】
請求項３において、該植物栽培室では、下部に、該ダクトからの導入口、および二酸化炭素の該タンクやボンベからの管路からの導入口が設けられ、上部に、排気口が設けられており、
もって該植物栽培室では、該導入口から、高濃度の二酸化炭素が供給されると共に、該排気口から、二酸化炭素濃度の低いエアーが外部に排出されること、を特徴とする植物栽培方式。
【発明の詳細な説明】
【技術分野】
【０００１】
本発明は、植物栽培方式に関する。例えば、オフィスビル等に設置される植物栽培施設について、その植物栽培方式に関するものである。
【背景技術】
【０００２】
《技術的背景》
例えば、都市のオフィスビルや商業ビル等では、ビルイン施設として植物栽培施設を導入する事例が、増加している。
すなわち、大型のオフィスビルや商業ビルでは、ビル内に植物栽培室や植物栽培コーナーを設置して、野菜，草花，果物，その他の植物を栽培することが、多くなっている。
ビル内に、天候や季節に左右されない植物工場的スペースを開発する目的や、ビル内に、憩いの場，メンタルヘルスケアの場，農園的美観の場等々を提供する目的や、ビル内の空気清浄化（新鮮酸素の提供）の目的や、更には、ビル内での家庭菜園的シーンのオファー目的、等々の目的により、ビルイン施設として植物栽培施設を導入，設置することが、多くなってきている。
【０００３】
《従来技術》
周知のごとく植物は、所定生育環境温度のもと、吸収した水と二酸化炭素とから、太陽光等の光エネルギーを用いて、光合成により有機化合物を合成して生育し、その際、酸素を生成，排出する。
図５は、このような従来例の正断面説明図である。そして上述したように、ビル１内に設置された植物栽培施設２では、所定の生育環境温度のもと、ＬＥＤ等の人工照明３下で、栽培槽４の植物Ａに水と二酸化酸素Ｂが供給されていた。二酸化炭素（炭酸ガス）Ｂは、外設されたタンクやボンベ５から供給されていた。
【０００４】
他方、オフィスビルや商業ビル等のビル１において、そのオフィススペース６や商業スペースは、空調機７により長時間にわたり、室内が所定温度にコントロール制御されていることが多い。
これと共に、このようなオフィススペース６や商業スペースは、人的集合スペース８として多くの人が集い、もって室内の二酸化炭素Ｂが高濃度化することが多い。
そして、このように高濃度の二酸化温度Ｂを含有すると共に所定温度に温度制御されたエアーＣは、従来、換気装置９にて外部へと換気され大気Ｄ放出されたり、そのまま放置されていた。
【先行技術文献】
【特許文献】
【０００５】
本発明に準じる植物工場の従来例としては、例えば、次の特許文献１に示されたものが挙げられる。
【特許文献１】特開２０１３−１１１０７３号公報
【発明の概要】
【発明が解決しようとする課題】
【０００６】
ところで、上述した植物栽培施設２の従来例については、次の問題が課題として指摘されていた。
第１に、メンテナンスコストに問題が指摘されていた。
すなわち、ビル１に植物栽培施設２を導入，設置すると、事後、二酸化炭素Ｂをタンクやボンベ５から供給し、もって植物栽培施設２を、植物Ａの生育に適切な環境濃度に維持することを要する。そして従来、このような二酸化炭素Ｂの供給量が嵩み、その分、維持コストが高額化するという問題があった。
更に、植物栽培施設２を導入，設置すると、事後、その植物栽培施設２を植物Ａの生育に適切な環境温度に、維持することを要する。もって従来、付設された空調機１０の駆動負担が嵩み、この面からも、維持コストが高額化するという問題もあった。
【０００７】
第２に、もって植物栽培施設２の導入に、支障が生じることもあった。
すなわち、上述したメンテナンスコスト面の問題に鑑み、オフィスビルや商業ビル等のビル１について、ビルイン施設として、植物栽培施設２を導入，設置することが、見合わせられることも多々あった。
都市の大型のビル１内について、植物工場的スペース開発や、憩いの場，メンタルヘルスケアの場，農園的美観の場等の提供や、空気清浄化や、家庭菜園的シーンのオファー等々、ビルイン施設としての植物栽培施設２の導入目的が、実現困難とされることが多々あった。
【０００８】
《本発明について》
本発明の植物栽培方式は、このような実情に鑑み、上記従来技術の課題を解決すべくなされたものである。
そして本発明は、第１に、メンテナンスコストに優れ、第２に、イニシャルコストにも優れ、第３に、もってビルイン施設としての目的が、容易に実現可能となる、植物栽培方式を提案することを目的とする。
【課題を解決するための手段】
【０００９】
《各請求項について》
このような課題を解決する本発明の技術的手段は、特許請求の範囲に記載したように、次のとおりである。
請求項１については、次のとおり。
請求項１の植物栽培方式は、人的集合スペースと植物栽培施設とを、有しなる。
該人的集合スペースは、人の集合により二酸化炭素濃度が高くなると共に、付設された空調機により温度制御可能である。
該植物栽培施設は、栽培棚と人工照明とを備えており、植物を生育する。そして、付設された空調機により温度制御可能であると共に、二酸化炭素のタンクやボンベから二酸化炭素が供給可能である。
そして、該人的集合スペースから、高濃度の二酸化炭素を含有すると共に温度制御されたエアーが、該植物栽培施設に供給可能となっていること、を特徴とする。
【００１０】
請求項２については、次のとおり。
請求項２の植物栽培方式では、請求項１において、該人的集合スペースは、オフィススペース，教育スペース，商業スペース，宿泊スペース，飲食スペース，劇場スペース中から選択される。
該植物栽培施設は、植物栽培室よりなる。そして、該人的集合スペースと植物栽培室とは、ビル等の同一建物内に位置すると共に、該エアーの供給用ダクトで接続されていること、を特徴とする。
請求項３については、次のとおり。
請求項３の植物栽培方式では、請求項２において、該人的集合スペースには、二酸化炭素の濃度センサが設けられている。該ダクトの該人的集合スペース側には、送風手段が設けられている。該植物栽培室には、温度センサと二酸化炭素の濃度センサとが設けられていること、を特徴とする。
請求項４については、次のとおり。
請求項４の植物栽培方式では、請求項３において、該人的集合スペースの濃度センサで検出された二酸化炭素濃度が、外設された濃度センサで検出された大気中の二酸化炭素濃度より高い場合、該ダクトの送風手段が駆動されること、を特徴とする。
【００１１】
請求項５については、次のとおり。
請求項５の植物栽培方式では、請求項３において、該ダクトの送風手段が駆動された場合、これに対応して次のようになる。
該植物栽培室では、その該濃度センサで検出される二酸化炭素濃度が、植物生育に適切な環境濃度を維持するように、二酸化炭素の該タンクやボンベのバルブ開度が、大小制御される。
これと共に該植物栽培室では、その該温度センサで検出される温度が、植物生育に適切な環境温度を維持するように、該空調機の駆動量が制御されること、を特徴とする。
請求項６については、次のとおり。
請求項６の植物栽培方式では、請求項３において、該植物栽培室では、下部に、該ダクトからの導入口、および、二酸化炭素の該タンクやボンベからの管路からの導入口が設けられている。そして上部に、排気口が設けられている。
もって該植物栽培室では、該導入口から、高濃度の二酸化炭素が供給される。これと共に該排気口から、二酸化炭素濃度の低いエアーが外部に排出されること、を特徴とする。
【００１２】
《作用等について》
本発明は、このような手段よりなるので、次のようになる。
（１）ビル等の建物の人的集合スペースは、人的集合により二酸化炭素濃度が高くなると共に、空調機により温度が制御される。
（２）人的集合スペースとしては、オフィススペースのほか、教育，商業，宿泊，飲食，劇場，その他のスペースが考えられる。
（３）このビル等の建物には、人的集合スペースと共に、植物栽培施設がビルイン施設として導入，設置されている。
植物栽培施設は、栽培棚，人工照明，空調機等を備えると共に、タンクやボンベから二酸化炭素が供給され、もって光合成により、野菜，草花，果物，その他の植物が生育される。
（４）そして人的集合スペースから、高濃度の二酸化炭素を含有すると共に温度制御されたエアーが、ダクトにて植物栽培施設へと回収，供給される。
（５）例えば、人的集合スペースの二酸化炭素濃度が大気中の二酸化炭素濃度より高くなった場合、そのエアーが植物栽培施設へと回収，供給される。
（６）本発明の植物栽培施設は、このように高濃度の二酸化炭素を含有したエアーが供給されるので、その分、タンクやボンベからの二酸化炭素の供給量が低減される。
（７）これと共に植物栽培施設には、温度制御されたエアーが供給されるので、その分、空調機の駆動負担が軽減される。
（８）このような本発明の植物栽培方式は、送風手段付のダクトを設ける簡単な構成よりなり、容易に導入，設置可能であり、後付けも容易である。
（９）そこで、植物栽培施設のビルイン施設としての導入，設置が、一段と促進されるようになる。
（１０）そこで、本発明に係る植物栽培方式は、次の効果を発揮する。
【００１３】
《第１の効果》
第１に、メンテナンスコストに優れている。
本発明の植物栽培方式では、ビル等の同一建物内に位置する人的集合スペースから植物栽培施設に、エアーを供給する。
すなわち、オフィススペース，その他の人的集合スペースと植物栽培施設とが、ダクトで接続されており、人的集合スペースから植物栽培施設に、高濃度の二酸化炭素を含有すると共に温度制御されたエアーが、回収，供給される。
そこで植物栽培施設では、これに対応して、タンクやボンベからの二酸化炭素の供給量が低減されると共に、空調機の駆動負担が軽減される。
もって植物栽培施設について、植物生育に適切な二酸化炭素の環境濃度の維持や、環境温度の維持が、前述したこの種従来例に比し、維持コスト面に優れて実現される。
このように、本発明の植物栽培方式は、メンテナンスコストに優れている。
【００１４】
《第２の効果》
第２に、イニシャルコストに優れている。
本発明の植物栽培方式は、人的集合スペースと植物栽培施設とを、送風手段付のダクトにて接続することにより、高濃度の二酸化炭素を含有すると共に温度制御されたエアーの回収，供給を実施する。
この植物栽培方式は、ダクトを設けるだけの簡単な構成よりなり、容易に導入，設置可能である。既存の人的集合スペースや植物栽培施設についても、後付けで容易に設営，運営可能である。
このように、本発明の植物栽培方式は、設置コスト面，イニシャルコスト等に優れている。
【００１５】
《第３の効果》
第３に、もってビルイン施設としての目的も、容易に実現可能となる。
本発明の植物栽培方式は、このようにメンテナンスコストやイニシャルコストに、優れている。そこで、オフィス，商業，教育，宿泊，飲食，劇場，その他用のビル等の建物について、ビルイン施設として植物栽培施設を導入，設置することが、一段と促進可能となる。
ビル等の建物内において、天候や季節に左右されない植物工場的スペースの開発や、憩いの場，メンタルヘルスケア（園芸療法）の場，農園的美観の場等の提供や、空気清浄化や、クラインガルデン的，家庭菜園的シーンのオファー等々、ビルイン施設としての植物栽培施設の目的が、前述したこの種従来例に比し、容易に実現可能となる。
このように、この種従来例に存した課題がすべて解決される等、本発明の発揮する効果は、顕著にして大なるものがある。
【図面の簡単な説明】
【００１６】
【図１】本発明に係る植物栽培方式について、発明を実施するための形態の説明に供し、その概要の正断面説明図である。
【図２】同発明を実施するための形態の説明に供し、詳細の正断面説明図である。
【図３】同発明を実施するための形態の説明に供し、植物栽培室の一例の概略図である。そして、（１）図は斜視説明図、（２）図は側面説明図、（３）図は正面説明図である。
【図４】同発明を実施するための形態の説明に供し、植物栽培室の他の例の写真である。そして、（１）図は内部を示し、（２）図はその植物等を示す。
【図５】従来例の概要の正断面説明図である。
【発明を実施するための形態】
【００１７】
以下、本発明について、図１〜図４を参照して詳細に説明する。
《本発明の概要》
まず、本発明の概要については、次のとおり。
本発明の植物栽培方式は、図１に示したように、ビル１等の同一建物内に位置する人的集合スペース８と植物栽培施設１１とを、有してなる。
人的集合スペース８は、人の集合により二酸化炭素Ｂ濃度が高くなると共に、付設された空調機７により温度制御可能である。
植物栽培施設１１は、栽培棚１２と人工照明３とを備えており、植物Ａを生育し、付設された空調機１０により温度制御可能であると共に、二酸化炭素Ｂのタンクやボンベ５から二酸化炭素Ｂが供給可能である。
そして、人的集合スペース８から、高濃度の二酸化炭素Ｂを含有すると共に温度制御されたエアーＣが、植物栽培施設１１に、ダクト１３により供給可能となっていること、を特徴とする。
本発明の概要については、以上のとおり。以下、このような本発明について、更に詳述する。
【００１８】
《人的集合スペース８について》
まず、本発明の植物栽培方式が適用される人的集合スペース８について、図１，図２を参照して説明する。
人的集合スペース８は、例えば都市のビル１等の建物内に、図示のようにオフィススペース６として、更には、教育スペース，商業スペース，宿泊スペース，飲食スペース，劇場スペース，その他のスペースとして、導入，展開，設置される。
多くの場合、そのビル１等の建物自体が、全体的にオフィス用，教育用，商業用，宿泊用，飲食用，劇場用等として使用されるが、これらが混在していることも少なくない。
オフィススペース６としては、会社や官庁等の事務所が代表例である。教育スペースとしては、例えば、学校や各種教室が考えられる。商業スペースとしては、例えば、本屋その他の各種販売店が考えられる。宿泊スペースとしては、ホテルが代表例である。
飲食スペースとしては、例えば、レストラン，食堂，コーヒーショップ，スナック等々がある。劇場スペースとしては、例えば、映画館，演芸場，コンサートホール等々が考えられる。勿論、人的集合スペース８としては、多くの人が集合するその他のスペースも可能である。
【００１９】
そして、このような人的集合スペース８は、多くの人が集うので、人体からの排出により、二酸化炭素Ｂの濃度が高くなると共に、付設された空調機７により温度制御可能となっている。
すなわち、通常の大気Ｄ中の二酸化炭素Ｂ濃度は、２００ｐｐｍ〜４００ｐｐｍ程度であるが、人的集合スペース８では、例えば３８０ｐｐｍ〜１，０００ｐｐｍ程度に達することも多い。
又、通常の大気Ｄ温度は、天候や季節により高低変化するが、人的集合スペース８では、冷暖房用の空調機７により調整され、長時間にわたり２１℃〜２５℃程度にコントロール制御されていることが多い。図中１４は、二酸化炭素Ｂの濃度センサ、１５は、温度センサである。
人的集合スペース８については、以上のとおり。
【００２０】
《植物栽培施設１１について》
次に、本発明の植物栽培方式が適用される植物栽培施設１１について、図１〜図４を参照して説明する。
植物栽培施設１１は、栽培槽４を備えた栽培棚１２にて、植物Ａを育成する。すなわち、各栽培棚１２には、植物Ａの栽培槽（栽培ベッド）４が配されており、栽培槽４の各栽培棚１２には、それぞれＬＥＤランプ等の人工照明３が対向配設されている。
そして植物Ａについて、液肥栽培，水耕栽培，その他の栽培法により、給水と施肥が実施されると共に、付設された冷暖房用の空調機１０により温度制御可能であり、外設された二酸化炭素Ｂのタンクやボンベ５から、二酸化炭素Ｂが供給可能となっている。
もって植物栽培施設１１内は、例えば１９℃〜２５℃程度の植物生育に適切な環境温度に、維持されると共に、二酸化炭素Ｂが例えば１，０００ｐｐｍ程度と、植物Ａの生育に適切な環境濃度に維持されるようになっている。
植物栽培施設１１では、このようにして、根野菜，葉野菜，草花，その他の花，果物，キノコ類，茶葉，ハーブ，その他の植物Ａが栽培される。図４の（１）図は、植物栽培施設１１の一例の内部写真、（２）は、生育される植物Ａの写真である。
【００２１】
このような植物栽培施設１１は、図１，図２では、ビル１のフロア全体を植物栽培室１６とした例よりなるが、このような図示例によらず、その他各種態様の植物栽培施設１１が可能である。
例えば、図３に示した例のように、ビル１のフロアの一部分に、植物栽培室１６を設けるようにしてもよく、又、ビル１の壁面に沿って、植物栽培コーナー的に植物栽培室１６を設けることも考えられる。更に、このように閉鎖された植物栽培室１６ではなく、開放型の植物栽培施設１１も可能である。
図２中１８は、二酸化炭素Ｂの濃度センサ、１９は、温度センサである。２０は、二酸化炭素Ｂのタンクやボンベ５と植物栽培施設１１との間の配された管路であり、２１，２２は、管路２０の上流側に設けられたバルブ，送風手段である。なお二酸化炭素Ｂが圧送される場合、ファンやブロワ等の送風手段２２は不要である。
植物栽培施設１１については、以上のとおり。
【００２２】
《ダクト１３等について》
次に、本発明の植物栽培方式で採用されるダクト１３について、図１，図２を参照して説明する。
人的集合スペース８と植物栽培室１６等の植物栽培施設１１とは、エアーＣ供給用のダクト１３で接続されている。もってダクト１３により人的集合スペース８から、高濃度の二酸化炭素Ｂを含有すると共に温度制御されたエアーＣが、植物栽培施設１１に供給可能となっている。
ダクト１３の人的集合スペース８側には、送風手段２３が設けられており、図示例では更に、バルブ２４が設けられている。送風手段２３は、ファンやブロワよりなるが、コンプレッサが使用される場合もある。
【００２３】
そして送風手段２３は、図示例では、人的集合スペース８の濃度センサ１４で検出された二酸化炭素Ｂ濃度が、外設された濃度センサ２５で検出された大気Ｄ中の二酸化炭素Ｂ濃度より高い場合に、駆動オン制御されるようになっている。
なお、図示例の植物栽培室１６では、下部に、ダクト１３からの導入口２６、および、二酸化炭素Ｂのタンクやボンベ５からの管路２０の導入口２７が、それぞれ設けられており、上部に、排気口２８が設けられている。
もって、この植物栽培室１６では、導入口２６，２７から、二酸化炭素Ｂ濃度の高いエアーＣが供給されると共に、排気口２８から、二酸化炭素Ｂ濃度の低いエアーＣが、自動的に外部の大気Ｄへと排出される（二酸化炭素Ｂの比重約１．５）。
ダクト１３等については、以上のとおり。
【００２４】
《制御部２９について》
次に、図示例の植物栽培方式の制御部２９について、図２を参照して説明する。
制御部２９は、例えばマイクロコンピュータよりなる。そして制御部２９には、人的集合スペース８に設けられた濃度センサ１４や温度センサ１５から、検出信号が入力される。又、植物栽培施設１１に設けられた濃度センサ１８や温度センサ１９から、検出信号が入力される。更に、外設された濃度センサ２５から、検出信号が入力される。
制御部２９からは、ダクト１３の送風手段２３に対し、場合によってはバルブ２４に対し、制御信号が出力される。又、管路２０のバルブ２１に対し、場合によっては送風手段２２に対し、制御信号が出力される。更に、植物栽培施設１１の空調機１０に対し、制御信号が出力される。
【００２５】
ａ．そこで、まず前述したように、人的集合スペース８の濃度センサ１４で検出された二酸化炭素Ｂの濃度が、外設された濃度センサ２５で検出された大気Ｄ中の二酸化炭素Ｂの濃度より高い場合、制御部２９により、ダクト１３の送風手段２３が駆動オン制御される。
【００２６】
ｂ．このようにダクト１３の送風手段２３が駆動制御された場合、これに対応し、植物栽培施設１１において、その濃度センサ１８で検出される二酸化炭素Ｂの濃度が、植物Ａの生育に適切な環境濃度に維持されるように、二酸化炭素Ｂのタンクやボンベ５のバルブ２１の開度が、制御部２９により大小制御される。
すなわち、ダクト１３にて高濃度（例えば３８０ｐｐｍ〜１，０００ｐｐｍ程度）の二酸化炭素Ｂを含有したエアーＣが、人的集合スペース８から植物栽培施設１１に供給されることに鑑み、その分、タンクやボンベ５からの二酸化炭素Ｂの供給量が、バルブ２１制御により低減される。植物栽培施設１１の植物Ａの生育に適切な二酸化炭素Ｂの環境濃度は、例えば１，０００ｐｐｍ程度である。
なお図示例では、人的集合スペース８からダクト１３にて供給される二酸化炭素Ｂの濃度は、人的集合スペース８に設けられた濃度センサ１４から制御部２９に入力され、このような制御に利用される。
【００２７】
ｃ．更に、ダクト１３の送風手段２３が駆動制御された場合、これに対応し、植物栽培施設１１において、温度センサ１９で検出される温度が、植物Ａの生育に適切な環境温度に維持されるように、制御部２９により空調機１０の駆動量が制御される。
すなわち、温度制御（例えば２１℃〜２５℃程度に調整）されたエアーＣが、ダクト１３にて、人的集合スペース８から植物栽培施設１１に供給されることに鑑み、その分、植物栽培施設１１の空調機１０の駆動負担が、軽減制御される。植物栽培施設１１の植物Ａの生育に適切な環境温度は、例えば１９℃〜２５℃程度である。
なお図示例では、人的集合スペース８からダクト１３にて供給されるエアーＣの温度は、人的集合スペース８に設けられた温度センサ１５から制御部２９に入力され、このような制御に活用される。
制御部２９については、以上のとおり。
【００２８】
《作用等》
本発明の植物栽培方式は、以上説明したように構成されている。そこで、以下のようになる。
（１）本発明の植物栽培方式の適用対象である、ビル１等の建物の人的集合スペース８では（図１，図２を参照）、人の集合により、二酸化炭素Ｂ濃度が高くなると共に（例えば３８０ｐｐｍ〜１，０００ｐｐｍ程度）、空調機７により温度が制御される（例えば２１℃〜２５℃に調整）。
【００２９】
（２）人的集合スペース８としては、オフィススペース６（図１，図２を参照）や、教育スペース，商業スペース，宿泊スペース，飲食スペース，劇場スペース，その他のスペースが考えられる。
【００３０】
（３）そして、このような人的集合スペース８と同一ビル１等の建物には、植物栽培室１６等の植物栽培施設１１が、ビルイン施設として導入，設置されている（図１〜図４を参照）。
植物栽培施設１１は、植物Ａの栽培棚１２や人工照明３等を備えており、空調機１０により温度制御されると共に、タンクやボンベ５から二酸化炭素Ｂが供給され、液肥栽培，その他の栽培法により給水や施肥が実施される。
もって光合成により、野菜，草花，花，果物，その他の植物Ａが、生育される。
【００３１】
（４）そして本発明の植物栽培方式では、人的集合スペース８と植物栽培室１６等の植物栽培施設１１とが、ダクト１３で接続されており、人的集合スペース８から、高濃度の二酸化炭素Ｂを含有すると共に温度制御されたエアーＣが、植物栽培施設１１へと回収，供給可能となっている（図１，図２を参照）。
【００３２】
（５）そして例えば、人的集合スペース８の濃度センサ１４で検出された二酸化炭素Ｂ濃度が、大気Ｄについて濃度センサ２５で検出された二酸化炭素Ｂ濃度より高くなった場合、図示例では制御部２９により、ダクト１３に設けられた送風手段２３が駆動されて、上記エアーＣが、植物栽培施設１１に回収，供給される。
なお第１に、このような高濃度の二酸化炭素Ｂが人的集合スペース８で得られる場合、その人的集合スペース８には多数の人が集まっていることが、その前提である。もって当然、空調機７により温度制御も実施されている。
なお第２に、このようにセンサ１４，２５や制御部２９を利用する方式でなく、マニュアル方式により適宜必要に応じ、ダクト１３の送風手段２３を駆動させるようにしてもよい。
【００３３】
（６）このように本発明の植物栽培方式において、植物栽培施設１１には、高濃度（例えば３８０ｐｐｍ〜１，０００ｐｐｍ程度）の二酸化炭素Ｂを含有したエアーＣが、ダクト１３経由で回収，供給される。
もって、タンクやボンベ５から植物栽培施設１１への二酸化炭素Ｂの供給量が、バルブ２１開度を制御部２９にて制御することにより、ダクト１３によるエアーＣの供給分だけ、低減可能となる。
このようにして、植物Ａの生育に適切な二酸化炭素Ｂの環境濃度（例えば１，０００ｐｐｍ程度）が、ダクト１３供給分も利用して実現される。
なお第１に、植物Ａの生育にとって二酸化炭素Ｂは極めて重要であり、上述した濃度維持に止まらず、更なる濃度向上，豊富な存在により、光合成が一段と促進されることも報告されており、ダクト１３経由での二酸化炭素Ｂの供給の意義は大きい。
なお第２に、このように制御部２９を利用する方式ではなく、マニュアル方式により、タンクやボンベ５のバルブ２１の開度を調節するようにしてもよい。
【００３４】
（７）これと共に植物栽培施設１１には、温度制御（例えば２１℃〜２５℃程度に調整）されたエアーＣが、ダクト１３経由で回収，供給される。すなわち、ダクト１３にて供給されるエアーＣは、上述したように高濃度の二酸化炭素Ｂを含有すると共に、温度制御されたものとなっている。
もって、植物栽培施設の空調機１０の駆動負担が、制御部２９にて駆動制御することにより、ダクト１３による温度制御エアーＣの供給分だけ、軽減可能となる。
このようにして、植物Ａの生育に適切な環境温度（例えば１９℃〜２５℃程度）維持が、ダクト１３供給分も利用して実現される。
なお、このように制御部２９を利用する方式ではなく、マニュアル方式により、空調機１０の駆動を調整するようにしてもよい。
【００３５】
（８）さて、このような本発明の植物栽培方式は、人的集合スペース８と植物栽培施設１１とを、ダクト１３にて接続して、その送風手段２３を駆動することにより、実施される。
このように簡単な構成よりなり、容易に導入，設置可能であり、既存の人的集合スペース８や植物栽培施設１１，２（図１を参照）についても、後付けで容易に設置，運営可能である。
なお空調機７および空調機１０は、駆動本体を別途設けて、それぞれに分岐する態様も可能である。
【００３６】
（９）本発明の植物栽培方式は、上述したように、二酸化炭素Ｂの供給量が低減されると共に、空調機１０の駆動負担が軽減され、構成も簡単である。
もって、植物栽培施設１１のビルイン施設としての導入，設置が、一段と促進可能となる。
本発明の作用等については、以上のとおり。
【符号の説明】
【００３７】
Ａ    植物
Ｂ    二酸化炭素
Ｃ    エアー
Ｄ    大気
１    ビル
２    植物栽培施設（従来例）
３    人工照明
４    栽培槽
５    タンクやボンベ
６    オフィススペース
７    空調機
８    人的集合スペース
９    換気装置
１０  空調機
１１  植物栽培施設（本発明）
１２  栽培棚
１３  ダクト
１４  濃度センサ
１５  温度センサ
１６  植物栽培室
１８  濃度センサ
１９  温度センサ
２０  管路
２１  バルブ
２２  送風手段
２３  送風手段
２４  バルブ
２５  濃度センサ
２６  導入口
２７  導入口
２８  排気口
２９  制御部
【図１】
2020065483.tif 000003
【図２】
2020065483.tif 000004
【図３】
2020065483.tif 000005
【図４】
2020065483.tif 000006
【図５】
2020065483.tif 000007